(57)【要約】      （修正有）【課題】操作リングを回転させる際に、異なるトルクを発生させることができるレンズ鏡胴を提供する。【解決手段】レンズ鏡胴本体外周面に沿ってその周方向に延びており弾性変形させられるアーム本体と、前記アーム本体の一端側に設けられており前記レンズ鏡胴本体に固定された固定端部と、前記アーム本体の他端側に設けられており前記操作リングが当接することにより変位させられる自由端部と、を有する片持ち梁形状のトルク付与アームと、前記レンズ鏡胴本体の外周部に嵌入されたトルク可変リングと、前記トルク可変リングに設けられており、かつ、前記アーム本体と前記レンズ鏡胴本体との間に配置されており、前記トルク可変リングの回転停止位置に応じて異なる位置で前記アーム本体を支持する支持片と、を備えている。【選択図】図３
2008083557.tif 000002
【特許請求の範囲】
【請求項１】
レンズ鏡胴本体の外周部に嵌入された操作リングを回転させることによってレンズ移動又はアイリス調整を行うレンズ鏡胴において、
前記レンズ鏡胴本体外周面に沿ってその周方向に延びており弾性変形させられるアーム本体と、前記アーム本体の一端側に設けられており前記レンズ鏡胴本体に固定された固定端部と、前記アーム本体の他端側に設けられており前記操作リングが当接することにより変位させられる自由端部と、を有する片持ち梁形状のトルク付与アームと、
前記レンズ鏡胴本体の外周部に嵌入されたトルク可変リングと、
前記トルク可変リングに設けられており、かつ、前記アーム本体と前記レンズ鏡胴本体との間に配置されており、前記トルク可変リングの回転停止位置に応じて異なる位置で前記アーム本体を支持する支持片と、
を備えており、
前記自由端と前記支持片との間のアーム本体部分は、前記操作リングが前記自由端部に当接することにより弾性変形させられており、
前記自由端部は、前記弾性変形させられたアーム本体部分の反力により前記操作リングを押圧し、これにより前記操作リングを回転させる際に、前記トルク可変リングの回転停止位置に応じて異なるトルクを発生させることを特徴とするレンズ鏡胴。
【請求項２】
レンズ鏡胴本体の外周部に嵌入された操作リングを回転させることによってレンズ移動又はアイリス調整を行うレンズ鏡胴において、
前記レンズ鏡胴本体外周面に沿ってその周方向に延びており弾性変形させられるアーム本体と、前記アーム本体の一端側に設けられており前記レンズ鏡胴本体に固定された固定端部と、前記アーム本体の他端側に設けられた自由端部と、を有する片持ち梁形状のトルク付与アームと、
前記レンズ鏡胴本体の外周部に嵌入されたトルク可変リングと、
前記トルク可変リングに設けられており、かつ、前記アーム本体と前記レンズ鏡胴本体との間に配置されており、前記トルク可変リングの回転停止位置に応じて異なる位置で前記アーム本体を支持する支持片と、
を備えており、
前記アーム本体の少なくとも一部は、前記支持片の軌道上に位置しており、
前記アーム本体は、前記トルク可変リングの回転停止位置に応じて前記支持片が前記軌道上に位置する前記アーム本体の一部に当接することにより弾性変形させられ、
前記自由端部は、前記アーム本体が弾性変形させられることにより変位して前記操作リングを押圧し、これにより前記操作リングを回転させる際に、前記トルク可変リングの回転停止位置に応じて異なるトルクを発生させることを特徴とするレンズ鏡胴。
【請求項３】
レンズ鏡胴本体の外周部に固定された固定環と、
前記トルク可変リングの周方向に延びており弾性変形させられるアーム本体と、前記アーム本体の一端側に設けられており前記トルク可変リングに固定された固定端部と、前記アーム本体の他端側に設けられており前記固定環の内周面に形成された少なくとも一つの凹部に係合する自由端部と、を有する片持ち梁形状の係止アームと、
を備えることを特徴とする請求項１又は２に記載のレンズ鏡胴。
【発明の詳細な説明】
【技術分野】
【０００１】
本発明はレンズ鏡胴に係り、特に操作リングを回転させることによって固定筒に嵌入されたレンズ枠を前後移動させてズーミングやフォーカシングを行うレンズ鏡胴に関する。
【背景技術】
【０００２】
従来、固定筒の外周部に嵌入された操作リングを回転させることによって、固定筒の内周部に嵌入されたレンズ枠を前後移動させて、ズーミングやフォーカシングを行うレンズ鏡胴では、適度な操作感を得るため、かつ不用意に操作リングが回転しないようにするため、操作リングに抵抗を持たせるようにしている。この操作リングに与える抵抗は、固定筒に嵌入させた操作リングを波板バネあるいはＯリングによって光軸方向に付勢し、操作リングを固定筒の外周面に形成された段部等に押圧させることにより与えている。
【０００３】
また、ズームリングの内周部（又は外周部）に半径方向に弾性変形する爪部を形成し、この爪部で固定筒の外周面（又はカム筒の内周面）を押圧することにより、操作リングに抵抗を与えることも提案されている（特許文献１、特許文献２）。
【特許文献１】特開２００１−９１８１１号
【特許文献２】特開２００１−９１８１２号
【発明の開示】
【発明が解決しようとする課題】
【０００４】
しかしながら、上記従来例においては、操作リングに与える抵抗を可変できないので、例えば、操作リングがフォーカスリングである場合、被写界深度が深いときも浅いときも同じ抵抗の下で操作リングを操作しなければならず、フォーカスしにくいという問題を生ずる。
【０００５】
本発明は、このような事情に鑑みてなされたものであり、操作リングを回転させる際に、異なるトルクを発生させることができるレンズ鏡胴を提供することを目的とする。
【課題を解決するための手段】
【０００６】
請求項１に記載の発明は、レンズ鏡胴本体の外周部に嵌入された操作リングを回転させることによってレンズ移動又はアイリス調整を行うレンズ鏡胴において、前記レンズ鏡胴本体外周面に沿ってその周方向に延びており弾性変形させられるアーム本体と、前記アーム本体の一端側に設けられており前記レンズ鏡胴本体に固定された固定端部と、前記アーム本体の他端側に設けられており前記操作リングが当接することにより変位させられる自由端部と、を有する片持ち梁形状のトルク付与アームと、前記レンズ鏡胴本体の外周部に嵌入されたトルク可変リングと、前記トルク可変リングに設けられており、かつ、前記アーム本体と前記レンズ鏡胴本体との間に配置されており、前記トルク可変リングの回転停止位置に応じて異なる位置で前記アーム本体を支持する支持片と、を備えており、前記自由端と前記支持片との間のアーム本体部分は、前記操作リングが前記自由端部に当接することにより弾性変形させられており、前記自由端部は、前記弾性変形させられたアーム本体部分の反力により前記操作リングを押圧し、これにより前記操作リングを回転させる際に、前記トルク可変リングの回転停止位置に応じて異なるトルクを発生させることを特徴とする。
【０００７】
請求項１に記載の発明によれば、支持片はトルク可変リングの回転停止位置に応じて異なる位置でアーム本体を支持する。支持片によるアーム本体の支持位置が異なると、弾性変形させられるアーム本体部分（長さ）も変化する。これに伴い、弾性変形させられたアーム本体部分の反力も変化する。自由端部は、このトルク可変リングの回転停止位置に応じて異なる反力により、フォーカスリングを押圧することになる。
【０００８】
したがって、フォーカスリングを回転させる際に、トルク可変リングの回転停止位置に応じて異なるトルクを発生させることが可能となる。
【０００９】
請求項２に記載の発明は、レンズ鏡胴本体の外周部に嵌入された操作リングを回転させることによってレンズ移動又はアイリス調整を行うレンズ鏡胴において、前記レンズ鏡胴本体外周面に沿ってその周方向に延びており弾性変形させられるアーム本体と、前記アーム本体の一端側に設けられており前記レンズ鏡胴本体に固定された固定端部と、前記アーム本体の他端側に設けられた自由端部と、を有する片持ち梁形状のトルク付与アームと、前記レンズ鏡胴本体の外周部に嵌入されたトルク可変リングと、前記トルク可変リングに設けられており、かつ、前記アーム本体と前記レンズ鏡胴本体との間に配置されており、前記トルク可変リングの回転停止位置に応じて異なる位置で前記アーム本体を支持する支持片と、を備えており、前記アーム本体の少なくとも一部は、前記支持片の軌道上に位置しており、前記アーム本体は、前記トルク可変リングの回転停止位置に応じて前記支持片が前記軌道上に位置する前記アーム本体の一部に当接することにより弾性変形させられ、
前記自由端部は、前記アーム本体が弾性変形させられることにより変位して前記操作リングを押圧し、これにより前記操作リングを回転させる際に、前記トルク可変リングの回転停止位置に応じて異なるトルクを発生させることを特徴とする。
【００１０】
請求項２に記載の発明によれば、支持片はトルク可変リングの回転停止位置に応じて異なる位置でアーム本体を支持する。また、アーム本体の少なくとも一部は、前記支持片の軌道上に位置しており、このアーム本体は、トルク可変リングの回転停止位置に応じて支持片がその軌道上に位置するアーム本体の一部に当接することにより弾性変形させられる。自由端部は、トルク可変リングの回転停止位置に応じてアーム本体が弾性変形させられることにより変位して操作リングを押圧することになる。
【００１１】
したがって、フォーカスリングを回転させる際に、トルク可変リングの回転停止位置に応じて異なるトルクを発生させることが可能となる。
【００１２】
請求項３に記載の発明は、レンズ鏡胴本体の外周部に固定された固定環と、前記トルク可変リングの周方向に延びており弾性変形させられるアーム本体と、前記アーム本体の一端側に設けられており前記トルク可変リングに固定された固定端部と、前記アーム本体の他端側に設けられており前記固定環の内周面に形成された少なくとも一つの凹部に係合する自由端部と、を有する片持ち梁形状の係止アームと、を備えることを特徴とする。
【００１３】
請求項３に記載の発明によれば、請求項１又は２に記載の発明において、トルク可変リングの回転停止位置に応じて自由端部が少なくとも一つの凹部に係合する。これにより、目的のトルクを迅速に発生させることが可能となる。また、現在どの程度のトルクが発生しているかを利用者に明示することが可能となる。さらに、自由端部が凹部を通過するごとにクリック感が得られるので操作性が向上する。
【発明の効果】
【００１４】
本発明によれば、操作リングを回転させる際に、異なるトルクを発生させることで適度な操作感を得ることができ、かつトルク最大位置にセットすることによって振動等による操作リングのずれを防止することができるレンズ鏡胴を提供することが可能となる。
【発明を実施するための最良の形態】
【００１５】
以下、本発明の一実施形態であるレンズ鏡胴について図面を参照しながら説明する。
【００１６】
図１は、本発明の一実施形態であるレンズ鏡胴１０の主要構成を説明するための図である。
【００１７】
図１に示すように、レンズ鏡胴１０は、監視用ＣＣＴＶカメラ用のレンズ鏡胴であり、レンズ鏡胴本体２０、レンズ鏡胴本体２０の外周部に嵌入されたフォーカスリング３０（本発明の操作リングに相当）、フォーカスレンズ４０、レンズ鏡胴本体２０の外周部に嵌入されたトルク可変リング５０、レンズ鏡胴本体２０の外周部に固定された固定環６０等を備えている。
【００１８】
まず、フォーカスリング３０を回転させる際に、異なるトルクを発生させるための構成について説明する。
【００１９】
図２、図３に示すように、レンズ鏡胴本体２０の外周面２１には、片持ち梁形状のトルク付与アーム２２が設けられている。
【００２０】
トルク付与アーム２２は、レンズ鏡胴本体２０の外周面に沿ってその周方向に延びており弾性変形させられるアーム本体２２ａを有している。アーム本体２２ａの一端側にはレンズ鏡胴本体２０に固定された固定端部２２ｂが設けられており、アーム本体２２ａの他端側には、レンズ鏡胴本体２０の外周に回転可能に嵌入されたフォーカスリング３０の内周面３１が当接する自由端部２２ｃが設けられている。図３に示すように、自由端部２２ｃにはフォーカスリング３０の内周面３１が当接しており、アーム本体２２ａは図３中下方に若干弾性変形させられている。ただし、弾性変形していることは必須ではなく、フォーカスリング３０に自由端部２２が当接していない状態からトルク可変リング５０を回して、徐々に自由端部２２ｃをフォーカスリング３０に当接させていくことでもよい。
【００２１】
アーム本体２２ａは、このアーム本体２２ａとレンズ鏡胴本体２０との間に配置された支持片５１で支持されている。これにより、固定端部２２ｂと支持片５１との間のアーム本体２２ａ部分の弾性変形が規制されている。すなわち、自由端部２２ｃと支持片５１との間のアーム本体２２ａ部分のみが弾性変形させられている。自由端部２２ｃは、この弾性変形させられたアーム本体２２ａ部分の反力により、フォーカスリング３０の内周面３１を押圧している。これにより、フォーカスリング３０を回転させる際にトルクを発生させることが可能となっている。
【００２２】
支持片５１は、トルク可変リング５０に設けられており、図４に示すように、トルク可変リング５０の回転に応じて一定の軌道を描きながら移動する。このため、支持片５１は、トルク可変リング５０の回転停止位置に応じて異なる位置でアーム本体２２ａを支持する。支持片５１によるアーム本体２２ａの支持位置が異なると、弾性変形させられるアーム本体２２ａ部分（長さ）も変化する。これに伴い、弾性変形させられたアーム本体２２ａ部分の反力も変化する。自由端部２２ｃは、このトルク可変リング５０の回転停止位置に応じて異なる反力により、フォーカスリング３０の内周面３１を押圧することになる。
【００２３】
したがって、フォーカスリング３０を回転させる際に、トルク可変リング５０の回転停止位置に応じて異なるトルクを発生させることが可能となる。
【００２４】
これにより、例えば、比較的弱いトルクが発生する方向にトルク可変リング５０を回転させることにより、被写界深度が深いときであっても、フォーカスしやすくなる。同様に、比較的強いトルクが発生する方向にトルク可変リング５０を回転させることにより、被写界深度が浅いときであっても、フォーカスしやすくなる。
【００２５】
次に、フォーカスリング３０を回転させる際に、異なるトルクを段階的に発生させるための構成について説明する。
【００２６】
図１、図３に示すように、トルク可変リング５０には、片持ち梁形状の係止アーム５２が設けられている。
【００２７】
係止アーム５２は、トルク可変リング５０の周方向に延びており弾性変形させられるアーム本体５２ａを有している。アーム本体５２ａの一端側にはトルク可変リング５０側面に固定された固定端部５２ｂが設けられており、アーム本体２２ａの他端側には、レンズ鏡胴本体２０の外周に固定された固定環６０の内周面にその周方向に所定間隔をおいて形成された凹部６１（図３中三つの凹部を例示）に係合する自由端部５２ｃが設けられている。
【００２８】
この構成によれば、トルク可変リング５０の回転停止位置に応じて自由端部５２ｃがいずれかの凹部６１に係合する。これにより、目的のトルクを迅速に発生させることが可能となる。また、現在どの程度のトルクが発生しているかを利用者に明示することが可能となる。さらに、自由端部５２ｃが凹部６１を通過するごとにクリック感が得られるので操作性が向上する。なお、このクリック感を良好に得るために、自由端部５２ｃ及び凹部６１は面取りされて丸みが付けられている。
【００２９】
次に、レンズ鏡胴１０の他の構成について説明する。
【００３０】
フォーカスリング３０の内周面には周方向に延びるカム溝（図示せず）が形成されており、このカム溝には、レンズ鏡胴本体２０に形成された光軸方向に延びる貫通穴である縦溝（図示せず）を介して、フォーカスレンズ４０を保持するレンズ枠４１に設けられたピン（図示せず）が挿入されている。したがって、フォーカスリング３０を回転させると、フォーカスレンズ４０は縦溝に沿って（すなわち光軸方向に）前進又は後退する。
【００３１】
フォーカスリング３０は予め設定された角度θだけ回転されるように回転量が規制されている。例えば、フォーカスリング３０に凸部（図示せず）を設け、フォーカスリング３０が一方向に回転されると、この凸部が係合部材（図示せず）に当接することでそれ以上その方向へ回転できず、フォーカスリング３０が逆方向に回転されると、この凸部が係合部材に当接することでそれ以上その方向へ回転できないようになっている。
【００３２】
その他、レンズ鏡胴１０は、変倍レンズやこの変倍レンズをその光軸方向に前進又は後退させるズームリング等、一般的なレンズ装置として機能するのに要求される構成も備えている（いずれも図示せず）。また、レンズ鏡胴１０には、カバーガラスで撮像面が覆われたＣＣＤ等の固体撮像素子を備えたカメラ装置が装着可能となっている（いずれも図示せず）。
【００３３】
次に、変形例について説明する。
【００３４】
上記実施形態では、アーム本体２２ａはその厚みが変化していないように説明したが本発明はこれに限定されない。
【００３５】
例えば、図５に示すように、アーム本体２２ａを固定端部２２ｂから自由端部２２ｃに向かうにつれて厚みが厚くなるように形成し、その厚みが厚くなった部分５１ａ（図５中アーム本体２２ａの下面と点線の間の部分）を支持片５１の軌道上（図５中点線とレンズ鏡胴本体２０の外周面との間の空間）に位置させるようにしてもよい。
【００３６】
本変形例によれば、支持片５１はトルク可変リング５０の回転停止位置に応じて異なる位置でアーム本体２２ａを支持する。また、アーム本体２２ａの少なくとも一部（その厚みが厚くなった部分５１ａ（図５中アーム本体２２ａの下面と点線の間の部分））は、支持片５１の軌道上に位置しており、このアーム本体２２ａは、トルク可変リング５０の回転停止位置に応じて支持片５１がその軌道上に位置するアーム本体の一部５１ｂに当接することにより弾性変形させられる。自由端部２２ｃは、トルク可変リング５０の回転停止位置に応じてアーム本体２２ａが弾性変形させられることにより変位してフォーカスリング３０を押圧することになる。
【００３７】
したがって、フォーカスリング３０を回転させる際に、トルク可変リング５０の回転停止位置に応じて異なるトルクを発生させることが可能となる。
【００３８】
同様に、図６に示すように、アーム本体２２ａを固定端部２２ｂから自由端部２２ｃに向かうにつれてレンズ鏡胴本体２０に接近するように予め変形させておき、そのアーム本体２２ａの一部５１ｂ（図６中アーム本体２２ａの下面と点線の間の部分）を支持片５１の軌道上（図５中点線とレンズ鏡胴本体２０の外周面との間の空間）に位置させるようにしてもよい。
【００３９】
これによっても、フォーカスリング３０を回転させる際に、トルク可変リング５０の回転停止位置に応じて異なるトルクを発生させることが可能となる。
【００４０】
また、上記実施形態では、本発明の操作リングがフォーカスリング３０であるように説明したが、本発明はこれに限定されない。
【００４１】
例えば、操作リングはズームリングやアイリスリング等のリングであってもよい。
【００４２】
また、上記実施形態では、レンズ鏡胴１０が監視用ＣＣＴＶカメラ用のレンズ鏡胴であるように説明したが、本発明はこれに限定されない。
【００４３】
レンズ鏡胴本体の外周部に嵌入された操作リングを回転させることによってレンズ移動又はアイリス調整を行うレンズ鏡胴であれば、あらゆるレンズ鏡胴に適用可能である。
【００４４】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４５】
【図１】本発明の一実施形態であるレンズ鏡胴の主要構成を説明するための図である。
【図２】レンズ鏡胴本体２０の先端部の斜視図である。
【図３】レンズ鏡胴１０の断面図である。
【図４】トルク付与アーム２２と支持片５１との関係を説明するための図である。
【図５】変形例を説明するための図である。
【図６】変形例を説明するための図である。
【符号の説明】
【００４６】
１０…レンズ鏡胴、２０…レンズ鏡胴本体、２１…外周面、２２…トルク付与アーム、２２ａ…アーム本体、２２ｂ…固定端部、２２ｃ…自由端部、３０…フォーカスリング、３１…内周面、３２…開口、４０…フォーカスレンズ、４１…レンズ枠、５０…トルク可変リング、５１…支持片、５１ａ…部分、５１ｂ…一部、５２…係止アーム、５２ａ…アーム本体、５２ｂ…固定端部、５２ｃ…自由端部、６０…固定環、６１…凹部
【図１】
2008083557.tif 000003
【図２】
2008083557.tif 000004
【図３】
2008083557.tif 000005
【図４】
2008083557.tif 000006
【図５】
2008083557.tif 000007
【図６】
2008083557.tif 000008